(57)【特許請求の範囲】
【請求項１】
外部からの操作またはおよび外部への表示を行う操作パネルの内側に前記操作またはおよび表示のための操作基板を持った電気ポットの操作基板の取り付け方法において、
前記操作またはおよび表示のための回路パターンや回路部品を他面に臨まないように片面にのみ搭載した操作基板を、その電装搭載面が操作パネルに対向するように配置するとともに、この操作基板によってその電装搭載面側を電気ポットの内側領域から仕切るように電気ポットに取り付け、操作基板が仕切る電装搭載面側と電気ポットの内側領域との仕切り境界部はシール材によりシールすることを特徴とする電気ポットの操作基板の取り付け方法。
【請求項２】
操作基板の操作パネルまたはおよび電気ポット側部材への取り付けによって、前記仕切り境界部にて操作基板と電気ポット側との間にシール材を挟み付け、前記シールを行う請求項１に記載の電気ポットの操作基板の取り付け方法。
【請求項３】
外部からの操作またはおよび外部への表示を行う操作パネルの内側に前記操作またはおよび表示のための操作基板を持った電気ポットの操作基板の取り付け方法において、
前記操作またはおよび表示のための回路パターンや回路部品を他面に臨まないように片面にのみ搭載した操作基板を、その電装搭載面が操作パネルに対向するように配置するとともに、この操作基板によってその電装搭載面側を電気ポットの内側領域から仕切るように電気ポットに取り付け、操作パネルと操作基板との間、ないしは操作基板の電装搭載面側は閉空間にする電気ポットの操作基板の取り付け方法。
【請求項４】
閉空間はシールする請求項３に記載の電気ポットの操作基板の取り付け方法。
【請求項５】
外部からの操作またはおよび外部への表示を行う操作パネルの内側に前記操作またはおよび表示のための操作基板を持った電気ポットの操作基板の取り付け構造において、
前記操作またはおよび表示のための回路パターンや回路部品を他面に臨まないように片面にのみ搭載した操作基板を備え、この操作基板は電装搭載面が操作パネルに対向するように配置して操作パネルまたはおよび電気ポット側部材に取り付けるとともに、この操作基板によってその電装搭載面側を電気ポットの内側領域から仕切っており、この操作基板の操作パネルまたはおよび電気ポット側部材への取り付けによって、操作基板が仕切る電装搭載面側と電気ポットの内側領域との仕切り境界部にシール材を挟み付けシールしていることを特徴とする電気ポットの操作基板の取り付け構造。
【請求項６】
外部からの操作またはおよび外部への表示を行う操作パネルの内側に前記操作またはおよび表示のための操作基板を持った電気ポットの操作基板の取り付け構造において、
前記操作またはおよび表示のための回路パターンや回路部品を他面に臨まないように片面にのみ搭載した操作基板を備え、この操作基板は電装搭載面が操作パネルに対向するように配置して操作パネルまたはおよび電気ポット側部材に取り付けるとともに、この操作基板によってその電装搭載面側を電気ポットの内側領域から仕切っており、操作パネルと操作基板との間は閉空間である電気ポットの操作基板の取り付け構造。
【発明の詳細な説明】
【０００１】
【発明の属する技術分野】
本発明は電気ポットの操作基板の取り付け方法と取り付け構造、およびこれらを利用した電気ポットに関するものである。
【０００２】
【従来の技術】
電気ポットは家庭や職場、食堂などで広く使用され、多機能かつ高容量なものも多く利用されるようになってきている。図１９に示すように操作基板ａは電気ポットｂの機能に合わせた外部からの操作および外部への表示を行うために操作パネルｃの内側に配置され、操作パネルｃと協働する。
【０００３】
操作基板ａは前記操作や表示のために回路パターンや回路部品を搭載した電装品であるため、従来、電気ポットｂの内側に対して電気ポットｂ側の部材ｄが形成するボックスｅにより仕切って防水し、電気ポットｂの内側から漏れてくる蒸気や水から保護するようにしている。操作基板ａはまたその表裏の電装搭載面をまわりから浮かせるようにボックスｅ内に支持して損傷などを受けないように保護している。
【０００４】
【発明が解決しようとする課題】
しかし、このような操作基板ａの配置や取り付け方によると、ボックスｅの底部ｅ１、空間ｆ、操作基板ａ、空間ｇ、操作パネルｃによる５層構造になり、操作パネルｃの内側において内外方向に大きくかさ張る。
【０００５】
このため、操作パネルｃが図１９に示すように、電気ポットｂの器体ｈにおける口部ｊが開口した肩部材ｋの吐出路ｌの吐出口ｍ側を内蔵し前部に突出している突出部ｄの上面に設けるような場合、突出部ｄをある程度の厚さ寸法に抑えたい要望から吐出路ｌとボックスｅとが大きく干渉し合う関係になる。
【０００６】
このため、ボックスｅは吐出路ｌと干渉する部分に凹部ｐを形成し、同時に操作基板ａはこの凹部ｐに干渉する部分を前端側から切り込んだ切り込み部ｒを形成して対応している。操作基板ａのこのような切り込みは前後の奥行き方向の寸法の３分の２程度、左右の幅方向の寸法の４分の１程度の大きさとなっている。設計によっては操作基板ａは左右に分かれた形態ともされる。
【０００７】
操作基板ａのこのような吐出路ｌとの干渉は、回路パターンや回路部品を搭載する有効面積の大幅な低下となって、近時の多機能化による操作および表示の種類が勢い多くなってきていることに対応しにくくなっている。
【０００８】
本発明の目的は、操作基板を、防水の確保のもと操作パネルと併せ小さな内外方向の設置スペースにて設けられる電気ポットの操作基板の取り付け方法と取り付け構造、およびこれらを利用した電気ポットを提供することにある。
【０００９】
【課題を解決するための手段】
上記の目的を達成するために、本発明の電気ポットの操作基板の取り付け方法および取り付け構造は、外部からの操作またはおよび外部への表示を行う操作パネルの内側に前記操作またはおよび表示のための操作基板を持った電気ポットの操作基板の取り付け方法において、前記操作またはおよび表示のための回路パターンや回路部品を他面に臨まないように片面にのみ搭載した操作基板を、その電装搭載面が操作パネルに対向するように配置するとともに、この操作基板によってその電装搭載面側を電気ポットの内側領域から仕切るように電気ポットに取り付け、操作基板が仕切る電装搭載面側と電気ポットの内側領域との仕切り境界部はシール材によりシールすることを特徴とするものである。
【００１０】
このような構成では、操作基板は、操作パネルの内側に配置されてそれと協働し、外部からの操作またはおよび外部への表示を行うが、このための電装搭載面が操作パネルと対向する片面のみに設けられて他の面に臨まない条件の基に、操作基板自体がその電装搭載面側を電気ポットの内側領域から仕切るように取り付けていることによって電装搭載面側を防水し、電気ポットの内側から漏れ出る蒸気や水に対し保護することができる一方、電装搭載面は操作パネルとの間に適当な空間を設けるだけで他との干渉から保護して損傷を受けないようにすることができ、しかも、このような２通りの保護が、操作基板および操作パネルとそれらの間の空間とによる内外方向に３重となるかさ低い扁平な設置スペースにて達成することができ電気ポットを内外方向に省スペース化できる。また、設置場所によって内外方向の他との干渉を避けるための大きな切り欠きが不要になって回路パターンや回路部品の搭載効率が向上し片面にてもさらなる多機能化にも十分に対応することができる。
【００１１】
また、操作基板が仕切る電装搭載面側と電気ポットの内側領域との仕切り境界部をシール材によりシールすることによって、前記操作基板の電装搭載面側の防水効果を高めることができる。このシールは、操作基板の操作パネルまたはおよび電気ポット側部材への取り付けによって、前記仕切り境界部にて操作基板と電気ポット側との間にシール材を挟み付けて行うと、操作基板の取り付け作業をシールのための押圧作業に共用することができ、作業工数が低減する。
【００１２】
操作パネルと操作基板との間、ないしは操作基板の電装搭載面側を閉空間にすると、操作基板の電装搭載面側を防水して、電気ポットの外側からの浸入水に対しても保護することができ好適である。閉空間はシールするのが前記防水の面で好適である。
【００１６】
本発明のそれ以上の目的および特徴は、以下の詳細な説明および図面によって明らかになる。本発明の各特徴は可能な限りにおいて、それ単独で、あるいは種々な組合せで複合して用いることができる。
【００１７】
【発明の実施の形態】
以下、本発明の実施例について図を参照しながら詳細に説明し、本発明の理解に供する。
【００１８】
各実施例は、操作パネルが電気ポットの器体における口部が開口した肩部材の吐出路の吐出口側を内蔵し前部に突出している突出部の上面に設けられ、操作基板が突出部内に配置して取り付けられている場合の一例である。しかし、本発明の操作パネルは電気ポットのどの部分に設けられてもよく、操作基板は操作パネルの内側に配置されればよい。また、電気ポットの具体的な構成や用途は特に限定されない。
【００１９】
本実施例の電気ポットは図１に示すように、熱伝導率が低く保温に有利なステンレス鋼製の内筒４と外筒５により構成される金属製の真空二重容器３と、内筒４内の内容液を加熱するヒータ１１と、内容液を外部に案内する吐出路２５と、この吐出路２５を通じて内容液を吐出させる電動ポンプ２６とを備え、合成樹脂製の外装ケース２に収容して器体１を構成している。しかし、真空二重容器３はその胴部が外部に露出して器体１を構成するようにしてもよい。吐出路２５の真空二重容器３の外側を立ち上がる立上がり部２５ａはフォトカプラＦＣ１〜ＦＣ３などを適当な高さ位置に適当数設けて内容液の液量を段階的に検知して外部に表示したり各種の制御に用いる。しかし、液量は立ち上がり部２５ａ内の内容液を器体１の外部から透明部を透して視認できるようにしてもよいし、静電容量方式にて自動検出したり、内容液をヒータ１１で加熱するときの昇温特性や、ヒータ１１の加熱を停止したときの降温特性によっても液量を自動検出することができる。
【００２０】
真空二重容器３はその開口縁に、この真空二重容器３を構成する内外筒４、５の外鍔を形成し、この外鍔を器体１の肩部材６の上向きの段部上に載置してある。外装ケース２は底２ａと胴２ｂとが一体に形成されている。真空二重容器３の内筒４は底を持った容器形状をしているが、外筒５は筒形状であって下端部が内側へ折り曲げて内筒４の底に外側から当てがい溶接やろう接などして真空漏れがないように一体化している。これによってできる真空二重容器３の一重の底部３ｃの外側にヒータ１１を当てがって内容液を効率よく加熱し、湯沸しや保温ができるようにしている。真空二重容器３の外鍔は内外筒４、５の各外鍔を重ねた外周部どうしを溶接接合している。
【００２１】
器体１の肩部は、形状や構造が複雑なことから合成樹脂製の独立した肩部材６によって形成してある。肩部材６は外装ケース２の上端に上方から嵌め合わせ、肩部材６の内周を形成している立上がり壁の下部にある上向き段部上に真空二重容器３の前記外鍔を載置させて支持し、真空二重容器３の底部と外装ケース２の底との間を図示しない金具とねじとにより連結して、外装ケース２、肩部材６、および真空二重容器３を一体に結合し器体１を構成している。
【００２２】
器体１の肩部材６が形成する開口１２には蓋１３が設けられ、この開口１２を真空二重容器３の開口５２とともに開閉するようにしてある。この開閉のために蓋１３は肩部材６の後部に設けられた軸受部１５に、ヒンジピン１６によって着脱できるように枢支されている。蓋１３の着脱は、ヒンジピン１６を中心にした回動により開閉する動作において、蓋１３が器体１の開口１２との嵌まり合い位置から外れた開き位置でヒンジピン１６を、軸受部１５に対し、その内向きのスリットを通じて嵌め入れたり引き出したりして行える。
【００２３】
蓋１３は真空二重容器３からの蒸気を外部に逃がす蒸気通路１７が形成され、蓋１３の真空二重容器３内に面する位置の内側開口１７ａと、外部に露出する外面に形成された外側開口１７ｂとの間で通じている。蒸気通路１７の途中には、器体１が横転して内容液が進入してきた場合にそれを一時溜め込み、あるいは迂回させて、外側開口１７ｂに至るのを遅らせる安全経路１７ｃを設けてある。これにより、器体１が横転して内容液が蒸気通路１７を通じて外部に流出するまでに器体１を起こすなどの処置ができるようになる。また、蒸気通路１７には器体１の横転時に、蒸気通路１７に進入しようとし、あるいは進入した内容液が先に進むのを阻止するように自重などで働く転倒時止水弁１８が適所に設けられている。図示する実施例では内側開口１７ａの直ぐ内側の一か所に設けてある。
【００２４】
蓋１３の前部には閉じ位置で肩部材６側の係止部１９に係合して蓋１３を閉じ位置にロックするロック部材２１が設けられ、蓋１３が閉じられたときに係止部１９に自動的に係合するようにばね２２の付勢によってロック位置に常時突出するようにしている。これに対応して蓋１３にはロック部材２１を後退操作して前記ロックを解除するロック解除部材２３が設けられている。ロック解除部材２３は図１に示すように軸２４によって蓋１３に枢支されたレバータイプのものとされ、前端２３ａを親指などで押し下げて反時計回りに回動させることでロック部材２１をばね２２に抗して後退させてロックを解除し、続いてロック解除操作で起き上がった後端２３ｂを他の指で引き上げることによりロックを解除された蓋１３を持ち上げこれを開くことができる。
【００２５】
電動ポンプ２６は遠心ポンプであって真空二重容器３の直ぐ下の位置に設けられ、真空二重容器３内から流れ込む内容液を吐出路２５を通じて器体１外に臨む吐出口２５ｄに向け送りだし、吐出口２５ｄから外部に吐出させ使用に供する。
【００２６】
外装ケース２の底２ａと真空二重容器３の底部との間の空間には、前記電動ポンプ２６とともに、ヒータ１１や電動ポンプ２６を通電制御する制御基板２７を収容する回路ボックス２８が設置されている。図示する実施例では回路ボックス２８は外装ケース２の底の開口部に一体形成して設けてある。また、回路ボックス２８は下向きに開口しこれを閉じる蓋１６０を設けてある。真空二重容器３の一重の底部３ｃの中央には温度センサ２９が下方から当てがわれ、内容液のその時々の温度を検出して、湯沸しや保温モードで内容液を加熱制御する場合の温度情報を得る。
【００２７】
器体１の肩部材６の前部に突出する嘴状突出部３１の上面には操作パネル３２が設けられ、モード設定などの操作部や、操作に対応する表示、あるいは動作状態を示す表示を行うようにしてある。操作パネル３２の下方、つまり内側には前記操作および表示に対応する信号の授受および動作を行う操作基板３３が設けられて操作パネル３２と協働して外部からの操作や外部への表示が行えるようにする。吐出路２５の上部は器体１の嘴状突出部３１と外装ケース２側のパイプカバー部２ｄとの間に入った部分で逆Ｕ字状のユニット２５ｃを構成し、このユニット２５ｃに転倒時止水弁３４ａおよび前傾時止水弁３４ｂと吐出口２５ｄを設けている。吐出口２５ｄはパイプカバー部２ｄおよびその下のカバー２ｅを通じて下向きに外部に開口している。
【００２８】
外装ケース２の底２ａにある開口２ｃには下方から蓋板３６を当てがってねじ止めや部分的な係合により取付け、蓋板３６の外周部には回転座環３７が回転できるように支持して設けられ、器体１がテーブル面などに定置されたときに回転座環３７の上で軽く回転して向きを変えられるようにしてある。
【００２９】
制御基板２７は電源オンによって内容液の衛生上やカルキ臭除去などの面から一旦沸騰させ、あるいは、さらに沸騰を持続させるなどのカルキ除去を行って後、温度センサ２９による検知温度が所定の保温温度になるまでヒータ１１の加熱を停止し、所定の保温温度になればヒータ１１による断続加熱や通電容量の小さな加熱によって所定の保温温度を保つようにする。
【００３０】
保温温度は操作パネル３２の操作にて選択でき、コーヒーや紅茶、緑茶などには即時に間に合い、あるいは瞬時に再沸騰させてから使用できる９８℃程度の高温保温、それより若干低い９０℃程度の保温、玉露や赤ちゃんのミルク溶きに適当な６０℃程度の保温などが選択対象になっている。一方、内容液を電動ポンプ２６で注出したり、内容液が帰宅時や起床時など所定の時点で湯沸しが終了し、あるいは所定の保温状態になっているようにタイマ設定を行うお休みタイマモード、即席めんや冷凍食品の再生時間などのクッキング時間をカウントして知らせるキッチンタイマ、内容液の不用意な注出を防止するための注出ロックモード、などを選択設定することも行われる。さらに、それら設定状態を解除する解除操作も行われたりもする。
【００３１】
図１〜図４に示す実施例、図５に示す実施例、図６〜図８に示す実施例、図９に示す実施例、図１０に示す実施例、図１１に示す実施例、図１２〜図１４に示す実施例、図１５〜図１８に示す実施例のそれぞれは、電気ポットの外面に臨む操作パネル３２の内側に配置する操作基板３３に、前記操作またはおよび表示のための回路パターンや図１３に示すようなコンピュータチップ４１、扁平スイッチ４２、マイクロスイッチ４３、ＬＥＤ４４、コネクタ４５などの回路部品を他面３３ｂに臨まないように片面のみを電装搭載面３３ａとして搭載したものを用いている。このような操作基板３３を、その電装搭載面となった電装搭載面３３ａが操作パネル３２に対向するように配置するとともに、この操作基板３３によってその電装搭載面３３ａ側を電気ポットの内側領域４６から仕切るように電気ポットに取り付けてある。
【００３２】
これにより、操作基板３３は電装搭載面３３ａが操作パネル３２と対向する電装搭載面３３ａのみに設けられて他の面３３ｂに臨まない条件の基に、操作基板３３自体がその電装搭載面３３ａ側を電気ポットの内側領域４６から仕切るように取り付けられて電装搭載面３３ａ側を防水するので、電気ポットの内側から漏れ出る蒸気や水に対し保護される。一方、電装搭載面３３ａは操作パネル３２との間に適当な空間４７を設けるだけで他との干渉から保護して損傷を受けないようにすることができる。併せ、このような２通りの保護が、操作基板３３および操作パネル３２とそれらの間の空間４７とによる内外方向に３重となるかさ低い扁平な設置スペースにて達成することができ電気ポットを内外方向に省スペース化できる。
【００３３】
また、前記狭い突出部３１内に吐出通路２５のユニット２５ｃと共に設置されるなどしても、内外方向のユニット２５ｃなど他との干渉を避けるための従来のような大きな切り欠きが不要になって回路パターンや回路部品の搭載効率が向上し片面にてもさらなる多機能化にも十分に対応することができる。
【００３４】
図１〜図４に示す実施例では特に、操作基板３３はそれに設けた取り付け孔４８を通じねじ４９によるねじ止めにより取り付けられていて、ねじ以外の特別な取り付け部材がいらない。操作基板３３のねじ止めは操作パネル３２に対して行ってあり、操作パネル３２は前記突出部３１の上面に形成した開口部５１の口縁上に当てがいねじ５２によりねじ止めしてある。操作パネル３２にはその左右方向の中央部の後部寄りに液晶表示部５３を有し、取り付け窓５４に嵌め合わせてねじ止めや接着、溶着などして取り付けてある。操作パネル３２の裏面には図１、図２、図３に示すように操作基板３３の周辺部を当てがう連続した環状な周壁５６が一体に形成されていて、この周壁５６に操作基板３３を当てがって前記ねじ４９にてねじ止めすることにより操作基板３３を周壁に密に押し付け、操作基板３３が仕切る電装搭載面３３ａ側と電気ポットの内側領域４６との仕切り境界部５７を簡易にシールし、電装搭載面３３ａ側の防水を確保している。操作パネル３２は図３に示すように操作基板３３をねじ止めする取り付け孔５８と、操作パネル３２が前記突出部３１にねじ止めされるための取り付け脚５９と、のそれぞれを前部の中央と、後部の左右とに３箇所ずつ設けられている。これによって、操作パネル３２と操作基板３３とは図４に示すようにねじ止めして互いを１つの部品として取り扱えるようにすることができ、この状態の操作パネル３２を図５に示すように突出部３１にねじ止めすれば双方の電気ポットへの組み付けが完了する。
【００３５】
また、操作パネル３２と操作基板３３との間の空間４７が前記の防水構造によって閉空間になり、操作基板３３の電装搭載面３３ａ側を防水して、電気ポットの外側からの浸入水に対しても保護することができ好適である。閉空間はシール材などによりシール状態にするのが前記防水の面で好適である。
【００３６】
なお、操作パネル３２は図３に示すように樹脂ばね部を利用した操作キー６０が必要数一体成形して設けられ、表面には外部操作や外部表示に対応した文字や数字による印刷ないしは印刷シートが成形とともに形成され、あるいは貼り合わされるいわゆるインサート印刷３０が施されている。このようなインサート印刷は操作パネル３２の外面側から空間４７内に水が浸入するのを防止する防水効果上好適である。また、周壁５６と操作基板３３との当接面の一方に横断面山形の環状凸条を一重ないしは数重に設けるとメカニカルシール効果が得られる。
【００３７】
図５に示す実施例では、特に、前記周壁５６と操作基板３３との当接面間において、前記コネクタ４５からのリード線６１を電気ポットの内側領域４６、従って、突出部３１内に引出す部分をシール材６２によりシールするようにしてある。これによって、リード線６１の電気ポット内側領域４６への引出しによっても、操作基板３３の電装搭載面３３ａ側の防水に支障はない。シール材６２は接着剤や粘着材による場合も含むが、ゴムや樹脂などのボリューム圧縮が可能な弾性部材を用いて、操作基板３３の前記ねじ止め時に押圧してリード線６１の引出し部の隙間を無くすようにすると、後の分解などが容易となり好適である。他の構造および奏する作用は図１〜図４に示す実施例と特に変わるところはなく、重複する図示および説明は省略する。
【００３８】
図６〜図８に示す実施例では、特に、操作基板３３は操作パネル３２の裏面に設けられた取り付け孔５８を持った３箇所の取り付け脚５８ａに図７に示すように当てがってねじ４９によりねじ止めし、この操作基板３３をねじ止めした操作パネル３２を前記突出部３１にねじ５２によりねじ止めする際、図８に示すように突出部３１の開口部５１の口縁と操作基板３３の外周部との間にゴムや樹脂よりなるシール材６５を挟み付けて、操作基板３３の電装搭載面３３ａ側を電気ポットの内側領域４６に対して防水のためのシールを行っている。他の構造および奏する作用は図１〜図４に示す実施例と特に変わるところはなく、重複する図示および説明は省略する。シール材６５によるシールは図１〜図４に示す実施例、図５に示す実施例のどれを採用してもよい。従って、図８に示すようにコネクタ４５のリード線６１をシール材６５によるシール部を通じて電気ポットの内側領域４６内に引出すこともできる。
【００３９】
図９に示す実施例は、特に、操作パネル３２を突出部３１の開口部５１の口縁に当てがってねじ５２によりねじ止めする際、操作基板３３を口縁との間にシール材６５とともに挟み付けることにより、操作パネル３２の取り付け作業を共用して、操作基板３３の取り付けとその防水とが同時に行われるようにすることができる。
【００４０】
また、コネクタ４５のリード線６１は、突出部３１の口縁一部に設けた電気ポットの外部から内部に向かって狭くなるテーパ孔６７に外側から圧入するゴムや樹脂よりなる弾性ブッシュ６８を通じて電気ポットの内側領域４６内に引出してあり、弾性ブッシュ６８の前記圧入によってテーパ孔６７とリード線６１との間の隙間を無くし防水してある。
【００４１】
弾性ブッシュ６８のテーパ孔６７への圧入は操作パネル３２を突出部３１にねじ止めする前に行うのが好適である。操作パネル３２の裏面には操作基板３３を空間４７を保って突出部３１に押し付ける連続した、または不連続な凸部６９が一体成形されている。凸部６９が連続していると空間４７を閉空間にするのに好適である。
【００４２】
他の構造および奏する作用は図６〜図８に示す実施例などと特に変わるところはなく、重複する図示および説明は省略する。
【００４３】
図１０に示す実施例では、特に、操作基板３３の電装搭載面３３ａ側を覆うゴムや樹脂よりなる防水カバー７１を設け、この防水カバー７１の開口縁７１ａを操作基板３３の外周部に嵌め合わせた状態で、この開口縁７１ａを操作基板３３の外周部とともに、前記突出部３１の開口部５１の口縁と、突出部３１にねじ止めする操作パネル３２の凸部６９と、の間で挟み付けることにより、操作基板３３がその電装搭載面３３ａ側を電気ポットの内側領域４６から防水状態に仕切るのと同時に、操作基板３３の電装搭載面３３ａの側をも防水カバー７１によって防水するようにしている。
【００４４】
他の構造および奏する作用は図９に示す実施例と特に変わるところはなく、重複する図示および説明は省略する。
【００４５】
図１１に示す実施例は、特に、操作パネル３２を突出部３１に一体成形してあり、その上面にインサート印刷３０がインサート成形によって形成され、あるいはこれに代えて貼り合わせて形成し、この操作パネル３２の内側に一体成形された取り付け脚５８ａによる取り付け孔５８を利用して操作基板３３がねじ４９によってねじ止めされ、このねじ止め圧によって操作基板３３の外周部と操作パネル３２の裏面との間にゴムや樹脂よりなるシール材７２を挟み付け、操作基板３３がその電装搭載面３３ａ側を電気ポットの内側領域４６から防水状態に仕切るようにしている。これによると、操作パネル３２の単独部材とその取り付け作業が不要な簡単な構造で操作基板３３の取り付けと防水とが図れる。
【００４６】
他の構造および奏する作用は図１〜図４に示す実施例などと特に変わるところはなく、重複する図示および説明は省略する。
【００４７】
図１２〜図１４に示す実施例では、特に、液晶表示部５３が操作基板３３にフラットケーブル７３で結線し、操作パネル３２の一部に取り付けてある。これにより液晶表示部５３の高表示機能によって多機能化に対応しやすくなるし、同時、異時の重ね表示によって表示面を種々な表示に兼用ないしは共用して表示のための必要面積を小さくすることもできる。１つの具体例として本実施例では、液晶表示部５３は異なった色、例えば４つのＬＥＤ４４がそれぞれ赤、アンバー、オレンジ、黄にて発光し、そのいずれかがライトガイド７４を介して液晶表示部５３を背部から照明するバックライト構造とし、何色で照明するかによって液晶表示部５３が表示している数字が沸騰状態、９８℃保温状態、９０℃保温状態、６０℃保温状態のいずれかを区別して表示できるようにしている。従って、操作パネル３２にはこれらの動作状態を区別して示す独立した４つの表示部を省略することができる。
【００４８】
さらに、液晶表示部５３はフラットケーブル７３によって操作基板３３に対してフローティング部材となり、操作パネル３２の一部に例えば図１４に示すような所定位置に取り付けるのに位置や向きが自由となり取り付けやすくなる。
【００４９】
なお、本実施例では突出部３１に一体成形した操作パネル３２の内側に取り付け枠７５を弾性係合部１７４部にて外れ止め状態に取り付け、この取り付けによって取り付け枠７５と操作パネル３２との間に操作基板３３をシール材７６と共に挟み付けるようにしている。これによって、操作基板３３をその電装搭載面３３ａ側を電気ポットの内側領域４６に対し防水状態で仕切るように取り付けるのにねじ止めが不要になる。前記弾性係合部１７４でもシール材１７７を挟み付けて防水が図られている。
【００５０】
また、操作パネル３２には図１２に示すように液晶表示部５３に併せ、保温温度９８℃、９０℃、６０℃の保温温度を選択設定する保温キー７７、内容液を再沸騰させたり、沸騰状態を所定時間継続するなどしてカルキ成分や臭いを除去したりするモード設定のための沸騰／カルキ除去キー７８、内容液を注出するための給湯キー７９、給湯操作をロックしたりロックを解除したり、あるいは設定モードを解除したりする解除キー８０、乾燥食品や冷凍食品の再生などの所定の調理に必要な時間をカウントし、カウント終了を液晶表示部５３や音、音声で知らせるモードを設定するキッチンタイマキー８１が設けられている。これらのほか、初期沸騰による湯沸しを完了する予定時刻を６時間後、９時間後などと設定するおやすみモードを設定するおやすみタイマキーなど必要な操作キーが設けられる。液晶表示部５３の他は給湯ロック、ロック解除を示す表示部８２だけを給湯キー７９の近くに配置して気づかれやすくしている。
【００５１】
他の構造および奏する作用は、図１〜図１１に示す各実施例の場合と特に変わるところはなく、重複する図示および説明は省略する。
【００５２】
図１５〜図１８に示す実施例では、操作基板３３は操作パネル３２に対しシール材７２を挟み込んでねじ４９によりねじ止めした図１１に示すような構成において、特に、給湯用のマイクロスイッチ４３を搭載した別の操作基板３３１を持ち、操作パネル３２はこのマイクロスイッチ４３に対応する操作キー６０ａを持ったサブパネル３２２と、液晶表示部５３、および扁平スイッチ４２に対応する操作キー６０を持ったサブパネル３２１とを持ち、操作基板３３の前記ねじ止めは前記サブパネル３２１に対して行い、双方の間に前記シール材７２と操作パネル３２とを挟み込んで三者を同時に一体化している。操作基板３３１は操作パネル３２の一部に形成した凹部３２ａ内に収容し、この凹部３２ａの開口にサブパネル３２２を嵌め付けてある。
【００５３】
給湯用のマイクロスイッチ４３は電動ポンプ２６の駆動回路を直接開閉して給湯、給湯停止を行う簡易構成において、ポンプ駆動電流が流れる関係で電気容量の大きなものが採用する結果、扁平スイッチ４２とは別な背の高いものとなっていて、操作パネル３２と操作基板３３との間の空間４７を内外方向に大きくとり、扁平スイッチ４２とともに１枚のフラットな操作基板３３に一律に搭載すると、扁平スイッチ４２を搭載している部分の空間４７が無駄に大きくなってしまい省スペース上問題であるが、本実施例のようにマイクロスイッチ４３を別の操作基板３３１に設けて取り付けることにより、扁平スイッチ４２に搭載部分の空間４７を図１６、図１７に示すようにさらに扁平化することができる。
【００５４】
また、扁平スイッチ４２を搭載している部分の空間４７が大きいと、操作キー６０との距離が大きくなる分だけ、操作キー６０の扁平スイッチ４２を押動操作する凸部が扁平スイッチ４２に届くような長いものが必要になり、操作キー６０が樹脂ばねを湾曲させながら扁平スイッチ４２を操作するときの前記凸部の軌跡が扁平スイッチ４２の軸線に対して大きく斜めに傾いた円弧軌跡を描くため、扁平スイッチ４２に対する操作が不安定なものになって、操作不良や操作不能の原因になりやすいが、上記のように扁平スイッチ４２と操作パネル３２および操作キー６０とが近づく構成ではそのような問題も解消する。
【００５５】
【発明の効果】
本発明によれば、操作基板は外部からの操作や外部への表示のための電装搭載面が操作パネルと対向する片面のみに設けられて他の面に臨まない条件の基に、操作基板自体がその電装搭載面側を電気ポットの内側領域から仕切るように取り付けていることによって電装搭載面側を防水し、電気ポットの内側から漏れ出る蒸気や水に対し保護することができる一方、電装搭載面は操作パネルとの間に適当な空間を設けるだけで他との干渉から保護して損傷を受けないようにすることができ、しかも、このような２通りの保護が、操作基板および操作パネルとそれらの間の空間とによる内外方向に３重となるかさ低い扁平な設置スペースにて達成することができ電気ポットを内外方向に省スペース化できる。また、設置場所によって内外方向の他との干渉を避けるための大きな切り欠きが不要になって回路パターンや回路部品の搭載効率が向上し片面にてもさらなる多機能化にも十分に対応することができる。
【００５６】
また、操作基板が仕切る電装搭載面側と電気ポットの内側領域との仕切り境界部をシール材によりシールすることによって、前記操作基板の電装搭載面側の防水効果を高めることができる。このシールは、操作基板の操作パネルまたはおよび電気ポット側部材への取り付けによって、前記仕切り境界部にて操作基板と電気ポット側との間にシール材を挟み付けて行うと、操作基板の取り付け作業をシールのための押圧作業に共用することができ、作業工数が低減する。
【００５７】
操作パネルと操作基板との間、ないしは操作パネルの電装搭載面側を閉空間にすると、操作基板の電装搭載面側を防水して、電気ポットの外側からの浸入水に対しても保護することができ好適である。閉空間はシールするのが前記防水の面で好適である。
【図面の簡単な説明】
【図１】本発明に係る電気ポットの１つの実施例を示す断面図である。
【図２】図１の電気ポットの操作パネル部の断面図である。
【図３】図１の電気ポットの操作パネルの下面図である。
【図４】図１の操作パネルに操作基板を取り付けた状態を示す断面図である。
【図５】本発明の別の実施例を示す操作パネル部の断面図である。
【図６】本発明の他の実施例を示す操作パネルの下面図である。
【図７】図６の操作パネルに操作基板を取り付けた状態の断面図である。
【図８】本発明の今１つの実施例を示す操作パネル部の断面図である。
【図９】本発明のさらに別の実施例を示す操作パネル部の断面図である。
【図１０】本発明のさらに他の実施例を示す操作パネル部の断面図である。
【図１１】本発明のさらに今１つの実施例を示す操作パネル部の断面図である。
【図１２】本発明のまた別の実施例を示す電気ポットの上部の斜視図である。
【図１３】図１２の電気ポットの操作基板の斜視図である。
【図１４】図１２の電気ポットの操作パネル部の断面図である。
【図１５】本発明のまた別の実施例を示す操作パネル部の下面図である。
【図１６】図１５の操作パネル部の液晶表示部の断面図である。
【図１７】図１５の操作パネル部の扁平スイッチ搭載部の断面図である。
【図１８】図１５の操作パネル部のマイクロスイッチ搭載部の断面図である。
【図１９】従来の電気ポットの操作基板の取り付け構造を示す断面図である。
【符号の説明】
１  器体
２  外装ケース
３  真空二重容器
１１  ヒータ
２５  吐出路
２６  電動ポンプ
２７  制御基板
３２  操作パネル
３２１、３２２  サブパネル
３３、３３１  操作基板
３３ａ  電装搭載面
３３ｂ  他面
４５  コネクタ
４６  内側領域
４７  空間
４８  取り付け孔
４９、５２  ねじ
５１  開口部
５３  液晶表示部
５６  周壁
５８  取り付け孔
５８ａ  取り付け脚
６０、６０ａ  操作キー
６１  リード線
６２、６５、７２、７６  シール材
６８  弾性ブッシュ
６９  凸部
７１  防水カバー
７３  フラットケーブル
１７４  弾性係合部
【図１】
0003571663.tif 000002
【図２】
0003571663.tif 000003
【図３】
0003571663.tif 000004
【図４】
0003571663.tif 000005
【図５】
0003571663.tif 000006
【図６】
0003571663.tif 000007
【図７】
0003571663.tif 000008
【図８】
0003571663.tif 000009
【図９】
0003571663.tif 000010
【図１０】
0003571663.tif 000011
【図１１】
0003571663.tif 000012
【図１２】
0003571663.tif 000013
【図１３】
0003571663.tif 000014
【図１４】
0003571663.tif 000015
【図１５】
0003571663.tif 000016
【図１６】
0003571663.tif 000017
【図１７】
0003571663.tif 000018
【図１８】
0003571663.tif 000019
【図１９】
0003571663.tif 000020